(57)【特許請求の範囲】
【請求項１】
天板を両脚板に固定した後部の固定天板と前部の昇降天板とに分割し、前記昇降天板を固定天板と上面が面一の高い状態と、昇降天板が下降し且つ後方へスライド移動して後縁部が固定天板の下面下に位置する低い状態とに設定し得ることを特徴とする昇降天板付き学習机。
【請求項２】
前記両脚板に昇降機構によって支持された昇降体を備えるとともに、該昇降体に対して前記昇降天板を前後スライド移動可能に支持してなる請求項１記載の昇降天板付き学習机。
【請求項３】
前記昇降機構として、垂直に配した調節螺軸にナットが螺合し、該調節螺軸の一端部とナットの何れか一方を前記脚板又は昇降体に定位置回転可能に設け且つ他方を昇降体又は脚板に固定し、前記調節螺軸又はナットを回転させて昇降体を昇降させるネジ式昇降機構を用いてなる請求項２記載の昇降天板付き学習机。
【請求項４】
前記昇降機構として、ガスシリンダーのシリンダーとピストンロッドの一方を前記脚板又は昇降体に固定し且つ他方を昇降体又は脚板に固定してなるガスシリンダー式昇降機構を用いてなる請求項２記載の昇降天板付き学習机。
【請求項５】
前記昇降機構として、前記昇降体から垂下した支持部材の一側縁に沿ってラックを形成し、該ラックに噛合するピニオンを前記脚板内に定位置回転可能に設けるとともに、該ピニオンと一体回転するラチェット歯車に係合するストッパー片を備えたラチェット式昇降機構を用いてなる請求項２記載の昇降天板付き学習机。
【請求項６】
前記昇降機構として、前記昇降体に下設した支持板を前記脚板にネジ止め固定し、脚板に対する支持板の固定位置を上下方向に変更することによって昇降天板を昇降調節する付替え式昇降機構を用いてなる請求項２記載の昇降天板付き学習机。
【発明の詳細な説明】
【０００１】
【発明の属する技術分野】
本発明は、昇降天板付き学習机に係わり、更に詳しくは天板前部の昇降天板が下降し且つ後方へスライド移動して天板の実効奥行幅が狭くなる昇降天板付き学習机に関する。
【０００２】
【従来の技術】
従来、天板の一部が昇降調節できるスチール机は、実公昭６３−１８３４５号公報として提供されている。この公報記載の机は、両側に前縁が垂直に立ち上がった脚板の上端間に固定天板を取付け、前記脚板の上部前縁に上下方向の長孔を形成するとともに、その内方に断面ロ字状のガイド部を形成し、該ガイド部に摺動可能にスライド部材を内挿し、固定天板の前方に設けた昇降天板の支持ブラケットと前記スライド部材とを長孔を貫通したねじ軸で連結し、更に前記スライド部材には突出方向へ弾性付勢した係止ピンを設け、前記ガイド部に並設した複数個の係合孔に弾力的に係合して昇降天板を一定の高さに維持する構造のものである。
【０００３】
この公報記載の机は、コンピュータのキーボードを昇降天板に載置して、その高さを作業性が良くなるように調節することを目的としているため、昇降天板は上下方向にのみ移動可能とするとともに、昇降天板の奥行幅はキーボードを載置し得る程度の幅に設定しているため固定天板の奥行幅よりも十分に狭いものである。
【０００４】
尚、実公平２−３９３８５号公報には、左右一対の脚体の前側に前机用の支柱を、後側に後机用の支柱を各々上下昇降自在に設け、前記左右一対の前机用支柱の上面間に前机用の天板を装架して前机を構成する一方、前記左右一対の後机用支柱の上面間に後机用の天板を前記前机用の天板より高い位置において装架して後机を構成し、前机と後机をそれぞれ別々のモータにて昇降動するようになしたオフィス机が開示されている。
【０００５】
ところで、幼児若しくは小学生低学年から使用する学習机においては、子供の成長に応じて高さを調節できるように天板が昇降する構造のものが従来は主流を占めていた。しかし、天板全体を昇降するもの若しくは天板の後部に上棚を載置して天板と上棚とを同時に昇降するものでは、可動部分の重量が重いため昇降操作が大変であった。また、このような昇降天板付き学習机は、中学生、高校生と子供が成長するにつれ、趣向の変化に伴って好まれなくなり、そのため近年では、机の天板は固定式とし、椅子の座部の高さを調節できる構造のものが主流となってきた。
【０００６】
しかし、従来の何れの高さ調節方式の机も、子供の背の高さの変化のみにしか対応していない。つまり、背の高さが低いときには、当然に手の長さも短いのであり、そのため天板と椅子の高さを調節しても椅子に座ったまま天板の後部に設けた上棚から本を取り出したり、戻したりする作業は困難である。
【０００７】
【発明が解決しようとする課題】
そこで、本発明が前述の状況に鑑み、解決しようとするところは、体格が小さい場合に天板後部の固定天板上に設けた上棚に椅子に座ったまま手が届くように、天板前部の昇降天板が下降し且つ後方へ移動して天板の実効奥行幅を狭くするとともに、固定天板を中棚として利用できる態様と、体格が大きい場合に固定天板と昇降天板が面一の奥行幅の広い天板として利用できる態様とを実現できる昇降天板付き学習机を提供する点にある。
【０００８】
【課題を解決するための手段】
本発明は、前述の課題解決のために、天板を両脚板に固定した後部の固定天板と前部の昇降天板とに分割し、前記昇降天板を固定天板と上面が面一の高い状態と、昇降天板が下降し且つ後方へスライド移動して後縁部が固定天板の下面下に位置する低い状態とに設定し得る昇降天板付き学習机を構成した。
【０００９】
更に具体的には、前記両脚板に昇降機構によって支持された昇降体を備えるとともに、該昇降体に対して前記昇降天板を前後スライド移動可能に支持してなるものである。
【００１０】
そして、前記昇降機構として、垂直に配した調節螺軸にナットが螺合し、該調節螺軸の一端部とナットの何れか一方を前記脚板又は昇降体に定位置回転可能に設け且つ他方を昇降体又は脚板に固定し、前記調節螺軸又はナットを回転させて昇降体を昇降させるネジ式昇降機構、ガスシリンダーのシリンダーとピストンロッドの一方を前記脚板又は昇降体に固定し且つ他方を昇降体又は脚板に固定してなるガスシリンダー式昇降機構、前記昇降体から垂下した支持部材の一側縁に沿ってラックを形成し、該ラックに噛合するピニオンを前記脚板内に定位置回転可能に設けるとともに、該ピニオンと一体回転するラチェット歯車に係合するストッパー片を備えたラチェット式昇降機構、前記昇降体に下設した支持板を前記脚板にネジ止め固定し、脚板に対する支持板の固定位置を上下方向に変更することによって昇降天板を昇降調節する付替え式昇降機構の何れかを用いてなるものである。
【００１１】
【発明の実施の形態】
次に添付図面に示した実施形態に基づき更に本発明の詳細を説明する。図１〜図４は本発明に係る学習机１の第１実施形態を示し、図１（実線）及び図２体格が大人に近いときに使用する態様、図１（想像線）及び図３は体格が小さいときに使用する態様を示している。
【００１２】
本発明の昇降天板付き学習机１は、天板を両脚板２，２に固定した後部の固定天板３と前部の昇降天板４とに分割し、前記昇降天板４を固定天板３と上面が面一の高い状態（図１の実線及び図３の状態）と、昇降天板４が下降し且つ後方へスライド移動して後縁部が固定天板３の下面下に位置する低い状態（図１の想像線及び図３の状態）とに設定し得る構造である。ここで、前記昇降天板４の奥行幅は、固定天板３の奥行幅よりも十分に大きく設定している。
【００１３】
前記固定天板３は、両脚板２，２の後端部に立設した固定杆５，５の上端に水平に固定し、前記昇降天板４を下降させた際に、中棚として書籍等を載置することができる奥行幅を有している。尚、前記固定杆５の代わりに、脚板２の後部を上方に延設し、この延設部に前記固定天板３を取付けても構わない。
【００１４】
前記昇降天板４は、両脚板２，２に昇降機構６によって支持された昇降体７を備えるとともに、該昇降体７に対して前記昇降天板４を前後スライド移動可能に支持している。ここで、前記固定天板３と昇降天板４の上面が面一に設定した際に、両接合部が確実に接合するように、前記固定天板３の前縁を上縁から下縁に向けて斜め後方へ傾斜した傾斜面３Ａとなし、前記昇降天板４の後縁を前記傾斜面３Ａと面接合する傾斜面４Ａとなしている。
【００１５】
第１実施形態では、前記昇降機構６としてネジ式昇降機構６Ａを用いている。このネジ式昇降機構６Ａは、垂直に配した調節螺軸８にナット９が螺合し、該調節螺軸８の一端部とナット９の何れか一方を前記脚板２又は昇降体７に定位置回転可能に設け且つ他方を昇降体７又は脚板２に固定し、前記調節螺軸８又はナット９を回転させて昇降体７を昇降させる機構である。本実施形態では、前記昇降体７の前後中央部に前記調節螺軸８の上端を固定し、脚板２の内部に定位置回転可能に設けたナット９に前記調節螺軸８の下部を螺合し、脚板２の側部に設けた操作ハンドル１０に固定した回転軸１１の回転に連動して前記ナット９を回転させ、該ナット９に対して調節螺軸８の螺合深さを調節して前記昇降体７を昇降させるようになっている。ここで、前記ナット９の回転軸芯と回転軸１１とは直交しているが、その場合の歯車伝達手段１２としては、一対のはすば歯車又は一対のかさ歯車又はウォームギヤで構成できる。尚、前記調節螺軸８の上端部を昇降体７に定位置回転可能に取付けるとともに、該調節螺軸８の下部を前記脚板２の内部に固定したナット９に螺合し、昇降体７に設けた操作ハンドル１０の回転力を歯車伝達手段１２にて伝達して調節螺軸８を回転させる構造を採用することも可能である。
【００１６】
また、前記脚板２に対して昇降体７を安定に昇降させ且つ昇降天板４を強固に支持するために、本実施形態では前記昇降体７の前後部に下設したガイド杆１３，１３を脚板２内に設けたスリーブ１４，１４に上下スライド可能に嵌合させている。尚、前記調節螺軸８とガイド杆１３とは共用しても良い。
【００１７】
そして、前記昇降体７には、前記昇降天板４が前後スライド移動可能に支持されており、具体的には昇降体７の両側に設けたガイドレール１５，１５に、前記昇降天板４の下面両側に設けたローラ１６，…を転動可能に連係させた構造となっている。ここで、前記昇降天板４を最も手前側へ移動させた状態で、前側のローラ１６がガイドレール１５の前端部に当止し又は昇降天板４から突出した部分が昇降体７の適所に当止し、その状態で昇降天板４を上昇させると、前記固定天板３の傾斜面３Ａと昇降天板４の傾斜面４Ａとが面接合するように設定し、昇降天板４を固定天板３と面一の高い状態に設定した後に、該昇降天板４が手前側に移動しないようにしている。尚、昇降体７に対して昇降天板４を前後スライド案内する機構は、前述の構造に限定されるものではなく、従来公知のスライド案内機構を採用できる。
【００１８】
また、前記昇降天板４、即ち昇降体７を、ネジ式昇降機構６Ａによって下降させた後、昇降体７に対して昇降天板４を後方へスライド移動させて、昇降天板４の後縁部が固定天板３の下面下に位置する低い状態に設定した場合に、不意に昇降天板４が前後方向へ、特に手前側へ移動しないように、昇降天板４を脚板２に固定する係合手段１７を設けている。この係合手段１７の一例を、図２〜図４に基づいて説明すれば、前記昇降天板４の下面であって、後端部の両側に横移動可能に係合ピン１８，１８を配するとともに、中央部に奥行方向に移動可能に操作杆１９を配し、そして前記両係合ピン１８，１８の内方端と操作杆１９の後端をそれぞれ連動杆２０，２０でリンク連結し、更に操作杆１９等の適所をばね２１にて両係合ピン１８，１８が側方へ突出する方向へ弾性付勢し、操作杆１９の手前側端に設けた引手２２をばね２１の弾性力に抗して引くことによって、係合ピン１８，１８を内方へ引き込むことができるようにする一方、前記昇降天板４が低い状態で前記係合ピン１８，１８を受け入れる係合孔２３，２３を両脚板２，２の適所に設けて構成してい。即ち、前記昇降天板４を下降させた後、前記引手２２を手前に引いて両係合ピン１８，１８を内方へ引き込んだ状態を維持しながら、昇降天板４を後方へスライド移動させて低い状態に設定した後、引手２２から手を離してばね２１による弾性付勢力で両係合ピン１８，１８を側方へ突出させて両係合孔２３，２３に係入し、昇降天板４の前後スライド移動を規制するのである。
【００１９】
尚、前記係合手段１７は、前述の例に限定されるものではなく、他の例としては、前記固定杆５，５の前面側に係止孔を形成し、前記昇降天板４の両側後端に該係止孔に係合するフックを突設した構造が挙げられる。更に、前記昇降天板４と昇降体７との間で、例えばガイドレール１５とローラ１６又は昇降天板４から突出した部分とでストッパーが働く構造でも良いのである。
【００２０】
次に、本発明の第２実施形態を図５に基づいて説明する。本実施形態は、基本的構造は前述の第１実施形態と同様であるが、昇降機構６のみが異なり、ネジ式昇降機構６Ａの代わりにガスシリンダー式昇降機構６Ｂを採用したものである。即ち、このガスシリンダー式昇降機構６Ｂは、垂直に配したガスシリンダー２４のシリンダー２５を前記脚板２内に固定し、ピストンロッド２６の上端を前記昇降体７に固定し、前記シリンダー２５の下端に突出した操作ピン２７を操作手段２８にて押し込み操作し、前記昇降天板４、即ち昇降体７を昇降させる機構である。ここで、前記操作手段２８は、前記操作ピン２７を押し込む回転板２９と、脚板２の前部に設けた足踏みペダル３０とをスリーブ付きワイヤー３１で連動させたものである。しかし、前記操作手段２８は前述の例に限定されない。また、前記ガスシリンダー２４は上下反転させて、シリンダー２５を昇降体７に固定し、ピストンロッド２６の下端を脚板２の内部に固定しても良い。更に、前記ガスシリンダー２４とガイド杆１３とは共用しても良い。その他の構成は、第１実施形態と同様であるので、同一構成には同一符号を付してその説明は省略する。
【００２１】
次に、本発明の第３実施形態を図６に基づいて説明する。本実施形態は、基本的構造は前述の第１実施形態と同様であるが、昇降機構６のみが異なり、ネジ式昇降機構６Ａの代わりにラチェット式昇降機構６Ｃを採用したものである。このラチェット式昇降機構６Ｃは、前記昇降体７の両側部から垂下した一対の支持部材３２，３２の一側縁に沿ってそれぞれラック３３を形成し、該ラック３３に噛合するピニオン３４を前記脚板２内に定位置回転可能に設けるとともに、該ピニオン３４と一体回転するラチェット歯車３５に係合するストッパー片３６を備えた構造である。前記ストッパー片３６はラチェット歯車３５に噛合する方向に弾性付勢されており、昇降天板４を上昇させる場合にのみストッパー片３６がラチェット歯車３５を通過し、昇降天板４を下降させる場合にはストッパー片３６がラチェット歯車３５に噛合してその回転を規制し、もって所定の高さに昇降天板４を維持するのである。そして、昇降天板４を下降させるには、前記支持部材３２に沿って設けた操作部材３７の上端の引手３８を引き上げて、操作部材３７を変位させることによって前記ストッパー片３６とラチェット歯車３５との噛合を解き、ラチェット歯車３５及びピニオン３４が自由に回転できるようにするのである。その他の構成は、第１実施形態と同様であるので、同一構成には同一符号を付してその説明は省略する。
【００２２】
最後に、本発明の第４実施形態を図７及び図８に基づいて説明する。本実施形態は前述の第１実施形態と同様であるが、昇降機構６のみが異なり、ネジ式昇降機構６Ａの代わりに付替え式昇降機構６Ｄを採用したものである。この付替え式昇降機構６Ｄは、前記昇降体７の両側部に下設した支持板３９，３９を前記脚板２，２にネジ止め固定し、脚板２に対する支持板３９の固定位置を上下方向に変更することによって昇降天板４を昇降調節する構造である。つまり、前記脚板２の上部に一対の取付孔を形成し、該取付孔に側方から挿入したネジ４０，４０を脚板２の上部に重合した支持板３９の螺孔４１，４１に螺合して取付けるが、二対の前記螺孔４１，４１を上下に間隔を設けて形成しておき、下方の螺孔４１，４１を利用して脚板２に固定した場合に、前記昇降天板４が固定天板３と面一の高い状態に取付けることができ、上方の螺孔４１，４１を利用して脚板２に固定した場合に低い位置に取付けることができるようになっている。昇降天板４を低い位置になるように支持板３９を脚板２に固定した後、昇降天板４を後方へスライド移動させて前記係合手段１７にて昇降天板４を前後移動不能とするのである。その他の構成は、第１実施形態と同様であるので、同一構成には同一符号を付してその説明は省略する。
【００２３】
前述の何れの実施形態においても、昇降天板４を固定天板３と面一の高い状態に設定し、奥行幅の広い天板を構成して体格の大きな使用者に適した態様とし、昇降天板４を昇降機構６によって下降させ且つ昇降天板４を昇降体７に対して後方へスライド移動させて実効奥行幅の狭い天板を構成して体格の小さな使用者に適した態様とを実現できるのである。この昇降天板４が低い状態では、昇降天板４の後部上位に固定天板３が位置し、この固定天板３を中棚として利用することができるのである。また、図示しないが、固定天板３の上位に机上棚を設置することも可能である。
【００２４】
【発明の効果】
以上にしてなる本発明の昇降天板付き学習机によれば、天板後部の固定天板上上棚を設けた場合でも該上棚に椅子に座ったまま手が届くように、天板前部の昇降天板が下降し且つ後方へスライド移動して天板の実効奥行幅を狭くすることができ、そして昇降天板を低い状態に設定した場合には固定天板を中棚として利用できるのである。つまり、子供の成長に応じて昇降天板を低い状態から高い状態に簡単に設定することができ、使用者の体格に応じて低い状態と高い状態間の態様変更が容易にできるのである。
【図面の簡単な説明】
【図１】本発明の学習机の第１実施形態を示す簡略側面図である。
【図２】同じく高い状態における要部の拡大側面図である。
【図３】同じく低い状態における要部の拡大側面図である。
【図４】係合手段の一例を示す省略平面図である。
【図５】本発明の第２実施形態を示す簡略側面図である。
【図６】本発明の第３実施形態を示す一部省略した要部側面図である。
【図７】本発明の第４実施形態の高い状態を示す一部破断した要部側面図である。
【図８】同じく低い状態を示す一部破断した要部側面図である。
【符号の説明】
１  学習机                ２  脚板
３  固定天板              ４  昇降天板
５  固定杆                ６  昇降機構
６Ａ  ネジ式昇降機構
６Ｂ  ガスシリンダー式昇降機構
６Ｃ  ラチェット式昇降機構
６Ｄ  付替え式昇降機構
７  昇降体                ８  調節螺軸
９  ナット                １０  操作ハンドル
１１  回転軸              １２  歯車伝達手段
１３  ガイド杆            １４  スリーブ
１５  ガイドレール        １６  ローラ
１７  係合手段            １８  係合ピン
１９  操作杆              ２０  連動杆
２１  ばね                ２２  引手
２３  係合孔
２４  ガスシリンダー      ２５  シリンダー
２６  ピストンロッド      ２７  操作ピン
２８  操作手段            ２９  回転板
３０  足踏みペダル        ３１  スリーブ付きワイヤー
３２  支持部材            ３３  ラック
３４  ピニオン            ３５  ラチェット歯車
３６  ストッパー片        ３７  操作部材
３８  引手
３９  支持板              ４０  ネジ
４１  螺孔
【図１】
0003820692.tif 000002
【図２】
0003820692.tif 000003
【図３】
0003820692.tif 000004
【図４】
0003820692.tif 000005
【図５】
0003820692.tif 000006
【図６】
0003820692.tif 000007
【図７】
0003820692.tif 000008
【図８】
0003820692.tif 000009